(57)【特許請求の範囲】
【請求項１】
巡視すべき施設内を分割したエリア毎に設置され、分割したあるエリアに居る被監視者に対して巡視が実施された場合に操作され、この操作により巡視登録信号を生成して出力する巡視登録装置と、
前記被監視者が前記分割したあるエリアに設置されているベッドに着床していることを検出して着床信号を生成して出力する着床センサと、
前記巡視登録装置から出力された巡視登録信号および前記着床センサから出力された着床信号入力するインターフェース部と、巡視を実施した被監視者を示す被監視者情報および巡視を実施した日時を示す巡視日時情報を関連付けて巡視データとして記憶する記憶部と、現在日時を示す現在日時情報を取得する現在日時情報取得部と、前記インターフェース部が巡視登録信号を入力した場合に、前記インターフェースが着床信号を入力しているか否かを判定し、前記着床信号を入力していると判定したときに、前記現在日時情報取得部から現在日時情報を取得し、前記被監視者を示す被監視者情報に関連付けて巡視データとして前記記憶部に記憶させる制御部とを有する制御装置と、
を備えたことを特徴とする巡視記録システム。
【発明の詳細な説明】
【技術分野】
【０００１】
本発明は、病院や介護施設などにおいて、患者や被介護者の状態を確認するために、医療従事者や介護者が部屋に居る患者や被介護者に対して巡視したことを記憶するための巡視記録システムに関する。
【背景技術】
【０００２】
従来、病院や介護施設（以下、施設とする）において、医療従事者や介護者（以下、監視者とする）は、施設内の全ての患者や被介護者（以下、被監視者とする）または特定の被監視者が居る部屋に行って被監視者の状態を直接その目で見て異常があるかどうかを確認する巡視を行っていた。また、監視者は、巡視を実施しているときに被監視者の異常に気づいたら迅速な処置を施し、不慮の事故の発生を未然に防いでいた。ここで、巡視は、所定の時間間隔で繰り返し行われることが多い。
【０００３】
しかしながら、このように巡視が行われていても、巡視の合間に不慮の事故が発生してしまうことがあった。不慮の事故が発生した場合、監視体制が問題となり、場合によっては、被監視者側から監視体制の不備が指摘され、被監視者の異常の発見が遅れたことを監視者側が追及されることがあった。
【０００４】
このような追及に対して、監視者側は、巡視が実施された日時を被監視者毎に記録しておくことで巡視が実施されていたことを明確にすることができ、監視体制に不備が無かったことを証明することができる。しかしながら、巡視対象である被監視者全員に対して巡視が実施されたことを記録することは、監視者にとって手間がかかってしまうという問題があった。これは、監視者が一人の被監視者の状態の確認を行う度にその被監視者への巡視が実施されたことを日時とともに記録するという作業を行わなければならないからである。このような問題を解決するために、部屋単位で巡視が実施されたことを記憶する技術が知られている（例えば、特許文献１など）。特許文献１に記載のナースコールシステムは、部屋の中に居る全ての被監視者に対して巡視が完了すると、監視者がその部屋の出入口付近に設置された個別情報廊下灯の巡視ボタンを押すことで、その個別情報廊下灯が設置されている部屋の部屋番号と巡視ボタンが押された時刻とを巡視データとして記録するようにしている。これにより、個別情報廊下灯の巡視ボタンを押すだけで、個別情報廊下灯が設置されている部屋に居る全ての被監視者に対して巡視データが記録されるので、巡視を実施する監視者は、被監視者の状態の確認を行う度に巡視データを記録するという作業を行わなくて済むようになり、被監視者に対して巡視が実施されたことをできるだけ手間をかけずに記録することができる。また、個別情報廊下灯の巡視ボタンが押された時刻が巡視の実施された時刻として記録されるので、全ての巡視が完了したことを操作する巡視ボタンをナースコール親機に設置する場合に比べて、巡視データが正確になる。
【０００５】
しかしながら、特許文献１に記載の技術では、ある部屋の全ての被監視者が自分の部屋に居ないと監視者が巡視ボタンを操作することができなくなってしまうという問題があった。また、全ての被監視者のうち一人でも自分の部屋に居ない状態で監視者が巡視ボタンを操作してしまうと、その部屋に居なかった被監視者についても巡視データが記録されてしまうという問題があった。このことから、監視者が巡視を完了した被監視者についても巡視データの記録を行うことができなくなったり、記録された巡視データが事実と異なるものになってしまったりするため、巡視データの信憑性が低くなってしまうという問題があった。
【先行技術文献】
【特許文献】
【０００６】
【特許文献１】特開２００７−６９２７号公報
【発明の概要】
【発明が解決しようとする課題】
【０００７】
本発明は、このような問題を解決するために成されたものであり、巡視が実施されたことをできるだけ手間をかけずに記録するとともに、そのデータをできるだけ正確に記録することができるようにすることを目的とする。
【課題を解決するための手段】
【０００８】
上述した課題を解決するために、本発明の巡視記録システムでは、巡視すべき施設内を複数のエリアに分割し、あるエリアに居る被監視者に対して巡視が実施されたことをまとめて登録するための巡視登録装置を各エリアに設けて、巡視登録装置にて登録が行われた場合に、着床を検出してベッドを使用している被監視者の被監視者情報と現在日時を示す現在日時情報とを関連付けて巡視データとして記録するようにしている。
【発明の効果】
【０００９】
上記のように構成した本発明によれば、巡視登録装置にて登録が行われた場合に、その巡視登録装置が設置されているエリアに居る被監視者のうち、着床を検出してベッドを使用している被監視者についてのみ巡視データが記録される。これにより、被監視者の居るエリア毎に巡視データが記録されるので、巡視を実施する監視者は、被監視者の状態の確認を行う度に巡視データを記録するという作業を行わなくて済むようになり、被監視者に対して巡視が実施されたことをできるだけ手間をかけずに記録することができる。また、巡視登録装置が設置されているエリアに居ない被監視者については巡視データが記録されない。従って、記録された巡視データの中に、監視者が状態の確認を行うことができた被監視者に該当する巡視データが確実に含まれ、監視者が状態の確認を行うことができなかった被監視者に該当する巡視データが含まれなくなるので、巡視データをできるだけ正確に記録することができる。従って、記録された巡視データが事実と一致するため、記録した巡視データの信憑性を高くすることができる。
【図面の簡単な説明】
【００１０】
【図１】本実施形態による巡視記録システムの構成例を示すブロック図である。
【図２】本実施形態による巡視記録システムの着床センサおよび巡視登録装置の配置例を示す説明図である。
【図３】本実施形態による巡視記録システムの制御装置の記憶部の記憶内容の例を示す図である。
【発明を実施するための形態】
【００１１】
以下、本発明の一実施形態を図面に基づいて説明する。本実施形態による巡視記録システムの構成例を示すブロック図を図１に示す。同図に示すように、本実施形態による巡視記録システムは、着床センサ１、巡視登録装置２、制御装置１０を備えて構成されている。
【００１２】
図１において、着床センサ１は、ベッド上に設置されており、シート状のセンサなどにより構成されている。ここで、着床センサ１は、シート上に一定値以上の荷重を検出する（以下、荷重を検出すると記載する）ことでベッド上に人が着床していることを検出する。また、本実施形態では、ベッド上には、そのベッドを使用している人が着床するものとする。また、着床センサ１は、伝送線を介して制御装置１０に接続されている。
【００１３】
また、着床センサ１は、シート上の荷重を検出したときに着床信号を生成して制御装置１０へ出力する。また、着床信号は、この着床センサ１と他の着床センサ１とを識別するための着床センサ識別情報を含む。また、着床センサ１は、シート上の荷重を検出し続けている間、着床信号を出力し続ける。
【００１４】
巡視登録装置２は、巡視すべき施設内を所定のエリアに分割したエリア毎に設置されており、そのエリアに居る被監視者に対して巡視が実施された場合に、巡視を実施した監視者が登録操作を行うために使用される。ここで、所定のエリアは、部屋などであり、巡視登録装置２は、部屋の出入口付近の廊下側の壁面などに取り付けられる。また、巡視登録装置２は、伝送線を介して制御装置１０に接続されている。また、登録操作とは、部屋に居る被監視者に対して巡視が実施されたことをまとめて登録するための操作である。また、巡視登録装置２は、巡視登録装置用制御部３、登録操作部４、巡視登録装置用インターフェース（以下、Ｉ／Ｆとする）部５を備えて構成されている。
【００１５】
図２は、本実施形態による巡視記録システムの着床センサ１および巡視登録装置２の配置例を示す図である。同図に示すように、部屋の中には、被監視者がそれぞれ使用するベッドＢ１〜Ｂ３が設置されている。これらのベッドＢ１〜Ｂ３のうち、図２中の上方に位置するベッドＢ１上には着床センサ１ａが設置されている。また、これらのベッドＢ１〜Ｂ３のうち、図２中の中央に位置するベッドＢ２上には着床センサ１ｂが設置されている。また、これらのベッドＢ１〜Ｂ３のうち、図２中の下方に位置するベッドＢ３上には着床センサ１ｃが設置されている。また、図２中の部屋の出入口付近の廊下側の壁面には、巡視登録装置２が設置されている。また、ベッドＢ１には被監視者識別情報が「００１」の被監視者が着床しており、ベッドＢ３には被監視者識別情報が「００３」の被監視者が着床している。また、ベッドＢ２を使用している被監視者識別情報が「００２」の被監視者は離床している。
【００１６】
制御装置１０は、監視者が居る部屋（例えば、スタッフルーム）などに設置されており、部屋に居る被監視者に対して巡視が実施されたことを記録するためのものである。ここで、制御装置１０には、各ベッド上に設置されている着床センサ１や各部屋の出入口付近に設置されている巡視登録装置２が接続されている。また、制御装置１０は、制御部１１、インターフェース（以下、Ｉ／Ｆとする）部１２、記憶部１３、現在日時情報取得部１４を備えて構成されている。
【００１７】
巡視登録装置２の巡視登録装置用制御部３は、ＣＰＵ（Ｃｅｎｔｒａｌ  Ｐｒｏｃｅｓｓｉｎｇ  Ｕｎｉｔ）などにより構成されており、巡視登録装置２の各構成要素を後述するように制御する。登録操作部４は、ボタンなどにより構成されており、部屋に居る被監視者に対して巡視が実施されたことを登録するために操作される。巡視登録装置用Ｉ／Ｆ部５は、巡視登録装置２に制御装置１０を接続している。巡視登録装置用Ｉ／Ｆ部５は、自装置が生成した巡視登録信号を制御装置１０へ出力する。ここで、巡視登録信号は、この巡視登録装置２を他の巡視登録装置２と識別するための巡視登録装置識別情報を含む。
【００１８】
巡視登録装置用制御部３は、登録操作部４が操作されたか否かを判定する。登録操作部４が操作されたと巡視登録装置用制御部３にて判定した場合に、巡視登録装置用制御部３は巡視登録信号を生成する。巡視登録装置用Ｉ／Ｆ部５は、巡視登録装置用制御部３にて生成した巡視登録信号を制御装置１０へ出力する。
【００１９】
制御装置１０の制御部１１は、ＣＰＵなどにより構成されており、制御装置１０の各構成要素を後述するように制御する。Ｉ／Ｆ部１２は、制御装置１０に着床センサ１および巡視登録装置２を接続している。また、Ｉ／Ｆ部１２は、着床センサ１から出力された着床信号を入力する。また、Ｉ／Ｆ部１２は、巡視登録装置２から出力された巡視登録信号を入力する。
【００２０】
記憶部１３は、メモリなどの記憶装置により構成されている。また、記憶部１３は、巡視登録装置２の巡視登録装置識別情報、この巡視登録装置２が設置されている部屋内のベッドに設置されている着床センサ１の着床センサ識別情報およびこの着床センサ１が設置されているベッドを使用している被監視者の被監視者識別情報（特許請求の範囲の被監視者情報に該当する）を予め関連付けて記憶している。例えば、図２に示す着床センサ１ａ〜１ｃ、巡視登録装置２が部屋に設置されている場合、記憶部１３は、図３（ａ）に示すように、巡視登録装置識別情報「２」、着床センサ識別情報「１ａ」および被監視者識別情報「００１」を関連付けて記憶し、巡視登録装置識別情報「２」、着床センサ識別情報「１ｂ」および被監視者識別情報「００２」を関連付けて記憶して、巡視登録装置識別情報「２」、着床センサ識別情報「１ｃ」および被監視者識別情報「００３」を関連付けて記憶している。また、記憶部１３は、巡視を実施した被監視者を示す被監視者識別情報および巡視を実施した日時を示す巡視日時情報を関連付けて巡視データとして記憶する。ここで、初期状態において、巡視データは記憶部１３に記憶されていない。
【００２１】
現在日時情報取得部１４は、現在日時を計測する図示しない時計部から、現在日時を示す現在日時情報を取得する。制御部１１は、Ｉ／Ｆ部１２が巡視登録装置２から出力された巡視登録信号を入力したか否かを判定する。Ｉ／Ｆ部１２が巡視登録信号を入力したと制御部１１にて判定した場合に、制御部１１は、Ｉ／Ｆ部１２が着床センサ１から出力された着床信号を入力しているか否かを判定する。ここで、上記判定を行う際に、制御部１１は、記憶部１３を参照して、巡視登録信号に含まれる巡視登録装置識別情報と着床信号に含まれる着床センサ識別情報が関連付けて記憶されているか否かも同時に判定し、関連付けて記憶されている場合のみ着床信号を入力したと判定する。これは、着床信号を出力した着床センサ１と巡視登録信号を出力した巡視登録装置２とが同一の部屋に設置されていることを示す。
【００２２】
Ｉ／Ｆ部１２が着床信号を入力していないと制御部１１にて判定した場合に、制御部１１は、Ｉ／Ｆ部１２が巡視登録信号を入力したか否かを判定する処理に戻る。一方、Ｉ／Ｆ部１２が着床信号を入力していると制御部１１にて判定した場合に、制御部１１は、記憶部１３を参照し、着床信号に含まれる着床センサ識別情報に関連付けて記憶されている被監視者識別情報を取得する。また、制御部１１は、現在日時情報取得部１４を動作させ、現在日時情報取得部１４は現在日時情報を取得する。また、制御部１１は、取得した被監視者識別情報および現在日時情報取得部１４が取得した現在日時情報を関連付けて巡視データとして記憶部１３に記憶させる。なお、被監視者識別情報を見ただけでは、巡視が実施された被監視者が誰かわかり難いため、被監視者識別情報と被監視者の氏名を示す氏名情報（特許請求の範囲の被監視者情報に該当する）とを関連付けて記憶しておき、氏名情報を巡視データとして記憶するようにしても良い。
【００２３】
例えば、図２に示す部屋において、部屋に設置されているベッドＢ１〜Ｂ３のうち、ベッドＢ１およびベッドＢ３に被監視者がそれぞれ着床している状態で、巡視を実施した監視者が巡視登録装置２の登録操作部４を操作すると、制御装置１０のＩ／Ｆ部１２が着床センサ１ａから出力された着床信号および着床センサ１ｃから出力された着床信号を入力しているので、制御部１１は、着床センサ１ａから出力された着床信号に含まれる着床センサ識別情報「１ａ」に関連付けて記憶部１３に記憶されている被監視者識別情報「００１」および現在日時情報取得部１４が取得した現在日時情報「０６／２８  １８：００」を関連付けて巡視データとして記憶部１３に記憶させる。また、制御部１１は、着床センサ１ｂから出力された着床信号に含まれる着床センサ識別情報「１ｂ」に関連付けて記憶部１３に記憶されている被監視者識別情報「００３」および現在日時情報取得部１４が取得した現在日時情報「０６／２８  １８：００」を関連付けて巡視データとして記憶部１３に記憶させる。また、Ｉ／Ｆ部１２は、着床センサ１ｂから出力された着床信号を入力していないので、制御部１１は、上記処理を実行しない。すると、記憶部１３には、図３（ｂ）に示すように、巡視データとして、被監視者識別情報「００１」および巡視日時情報「０６／２８  １８：００」が関連付けて記憶され、被監視者識別情報「００３」および巡視日時情報「０６／２８  １８：００」が関連付けて記憶される。
【００２４】
以上、詳しく説明したように、本実施形態の巡視記録システムでは、巡視すべき施設内の各部屋に設置されている各ベッドに被監視者が着床していることを検出する着床センサ１を設置し、部屋に居る被監視者に対して巡視を実施した監視者が登録操作を行うために使用される巡視登録装置２を各部屋に設置する。そして、巡視登録装置２の登録操作部４が操作されて、Ｉ／Ｆ部１２が巡視登録装置２から出力された巡視登録信号を入力した場合に、この巡視登録装置２が設置されている部屋内のベッドに設置されている着床センサ１から出力された着床信号をＩ／Ｆ部１２が入力しているときに、制御部１１は、記憶部１３を参照し、着床信号に含まれる着床センサ識別情報に関連付けて記憶されている被監視者識別情報および現在日時情報取得部１４が取得した現在日時情報を関連付けて巡視データとして記憶部１３に記憶させるようにしている。
【００２５】
これにより、巡視登録装置２にて登録が行われた場合に、その巡視登録装置２が設置されている部屋に居る被監視者のうち、着床を検出してベッドを使用している被監視者についてのみ巡視データが記録される。このことから、被監視者の居る部屋毎に巡視データが記録されるので、巡視を実施する監視者は、被監視者の状態の確認を行う度に巡視データを記録するという作業を行わなくて済むようになり、被監視者に対して巡視が実施されたことをできるだけ手間をかけずに記録することができる。また、巡視登録装置２が設置されている部屋に居ない被監視者については巡視データが記録されない。従って、記録された巡視データの中に、監視者が状態の確認を行うことができた被監視者に該当する巡視データが確実に含まれ、監視者が状態の確認を行うことができなかった被監視者に該当する巡視データが含まれなくなるので、巡視データをできるだけ正確に記録することができる。従って、記録された巡視データが事実と一致するため、記録した巡視データの信憑性を高くすることができる。
【００２６】
なお、前述した実施形態では、巡視すべき施設内のエリアを部屋としているが、これに限定されない。例えば、巡視すべき施設内のエリアを部屋内を複数に分割したブロックや複数の部屋を含むエリア、同じ階に存在する部屋などとしても良い。
【００２７】
また、前述した実施形態では、着床センサ１は、シート状のセンサにより構成されているが、これに限定されない。例えば、照射された赤外線の反射光の受光量の変化や赤外線の遮断により人が居たり居なかったりすることを検出する赤外線センサを用いて着床センサ１を構成するようにしても良い。
【００２８】
また、前述した実施形態では、着床センサ１は、シート上の荷重を検出したときに着床信号を出力し続けているが、これに限定されない。例えば、着床センサ１がシート上の加重を検出したときにワンショットの着床信号を生成して出力し、シート上の荷重を検出しなくなったときにワンショットの離床信号を生成して出力するようにしても良い。この場合、制御装置１０は、Ｉ／Ｆ部１２が着床信号を入力した場合に、離床信号をＩ／Ｆ部１２が入力するまで着床信号を入力していると判断し、Ｉ／Ｆ部１２が離床信号を入力した場合に、着床信号をＩ／Ｆ部１２が入力するまで離床信号を入力し続けていると判断する。
【００２９】
また、前述した実施形態では、登録操作部４はボタンにより構成されているが、これに限定されない。例えば、登録操作部４がＩＣタグを読み取るＩＣタグリーダーにより構成されるようにしても良い。具体的には、ＩＣタグは、巡視を実施する監視者により携行される。また、ＩＣタグリーダーは、巡視を実施する監視者がＩＣタグを容易にかざすことができるような位置に設置される。巡視を実施した監視者がＩＣタグリーダーにＩＣタグをかざすと、ＩＣタグリーダーは、そのＩＣタグに記憶されている監視者識別情報を読み取り、巡視登録装置用制御部３へ出力する。そして、監視者識別情報を入力した巡視登録装置用制御部３は巡視登録信号を生成する。巡視登録装置用Ｉ／Ｆ部５は、巡視登録装置用制御部３により生成された巡視登録信号を制御装置１０へ出力する。ここで、巡視登録信号に監視者識別情報を含むようにすれば、制御装置１０の制御部１１は、巡視データに監視者識別情報を含ませて記憶部１３に記憶させることができる。これにより、ＩＣタグリーダーにＩＣタグをかざすだけで巡視データが記録されるので、巡視を実施した監視者は、巡視データを記録するためにボタンを操作する必要が無くなる。また、ＩＣタグを携行させた監視者だけが巡視データを記録することができるので、登録操作部４が被監視者や他の監視者によって誤って操作されることを防ぐことができる。また、巡視登録信号が監視者識別情報を含む場合には、監視者識別情報を含む巡視データが記憶部１３に記録されるので、巡視を実施した監視者を特定することができる。
【００３０】
また、前述した実施形態では、着床センサ１は、制御装置１０へ接続されているが、これに限定されない。例えば、着床センサ１が設置されている部屋の巡視登録装置２へ着床センサ１を接続するようにしても良い。この場合、巡視登録装置２の巡視登録装置用Ｉ／Ｆ部５が着床センサ１から出力された着床信号を入力する。また、巡視登録装置２の巡視登録装置用制御部３は、制御装置１０の制御部１１が実行していた巡視登録信号を入力したか否かを判定する処理、巡視登録信号を入力したと判定した場合に着床信号を入力しているか否かを判定する処理および、着床信号を入力したと判定した場合に巡視登録信号を制御装置１０へ出力する処理を実行する。
【００３１】
そして、登録操作部４が操作されたと巡視登録装置用制御部３にて判定した場合に、巡視登録装置用Ｉ／Ｆ部５が着床センサ１から出力された着床信号を入力していると巡視登録装置用制御部３にて判定したときに、巡視登録装置用制御部３は、着床信号に含まれる着床センサ識別情報を含む巡視登録信号を生成して、巡視登録装置用Ｉ／Ｆ部５によって制御装置１０へ出力する。制御装置１０のＩ／Ｆ部１２が巡視登録装置２から出力された巡視登録信号を入力すると、制御部１１は、記憶部１３を参照し、入力した巡視登録信号に含まれる着床センサ識別情報に関連付けて記憶されている被監視者識別情報を取得し、現在日時情報取得部１４が取得した現在日時情報を関連付けて巡視データとして記憶部１３に記憶させる。これにより、着床センサ１から出力された着床信号を巡視登録装置２が入力するようになり、登録操作部４が操作された場合に、制御装置１０がベッドを着床している被監視者の被監視者識別情報を入力するようになるため、制御装置１０は、着床センサ１から出力された着床信号を常に入力しなくて済む。
【００３２】
また、この変形例において、着床センサ１が出力する着床信号に着床センサ識別情報を含めず、着床センサ１の巡視登録装置用Ｉ／Ｆ部５への接続位置により各着床センサ１を識別するようにしても良い。この場合、巡視登録装置２の内部に設けた図示しない巡視登録装置用記憶部に着床センサ識別情報を記憶しておき、着床信号を入力した際に、着床センサ１の巡視登録装置用Ｉ／Ｆ部５への接続位置に応じて着床センサ識別情報を巡視登録信号に付加し、その巡視登録信号を制御装置１０へ出力する。これにより、着床センサ１から出力される着床信号が着床センサ識別情報を含む必要が無くなる。
【００３３】
その他、巡視記録システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００３４】
１（１ａ〜１ｃ）    着床センサ
２    巡視登録装置
３    巡視登録装置用制御部
４    登録操作部
５    巡視登録装置用インターフェース（Ｉ／Ｆ）部
１０    制御装置
１１    制御部
１２    インターフェース（Ｉ／Ｆ）部
１３    記憶部
１４    現在日時情報取得部
【図１】
0005459788.tif 000002
【図２】
0005459788.tif 000003
【図３】
0005459788.tif 000004